(57)【要約】【課題】ファンの回転時に羽根と整流板との間で発生する騒音を低減することが可能な室内機を提供する。【解決手段】空気調和機の室内機３１は、熱交換器４３における遠心ファン５１の羽根車２３に対向する側に配置され、羽根車２３から吹き出される気流をフィン４３ａの間に案内する整流板６１を備えている。整流板６１は、本体部６２と、傾斜部６３とを有する。本体部６２は、フィン４３ａから突出するように熱交換器４３に支持され、遠心ファン５１から吹き出される気流の一部が通る開口６５を有する。傾斜部６３は、開口６５を通る気流をフィン４３ａの間へ向けるように、フィン４３ａに対して傾斜して配置されている。【選択図】図３
2014126260.tif 000002
【特許請求の範囲】
【請求項１】
空気調和機の室内機（３１）であって、
多数の羽根（２１）を有する羽根車（２３）を備えた遠心ファン（５１）と、
互いに離間して配置された複数枚のフィン（４３a）を有し、前記遠心ファン（５１）の外側に配置された熱交換器（４３）と、
前記熱交換器（４３）における前記羽根車（２３）に対向する側に配置され、前記羽根車（２３）から吹き出される気流を前記フィン（４３a）の間に案内する整流板（６１）と
を備えており、
前記整流板（６１）は、前記フィン（４３a）から突出するように前記熱交換器（４３）に支持され、前記遠心ファン（５１）から吹き出される気流の一部が通る開口（６５）を有する本体部（６２）と、当該開口（６５）を通る気流を前記フィン（４３a）の間へ向けるように、前記フィン（４３a）に対して傾斜して配置された傾斜部（６３）とを有する、
ことを特徴とする室内機（３１）。
【請求項２】
前記本体部（６２）は、前記開口（６５）と前記フィン（４３a）との間に位置する壁部分（６６）を有する、
請求項１に記載の室内機（３１）。
【請求項３】
前記フィン（４３a）に近づくにつれて前記本体部（６２）から前記羽根車（２３）の回転方向側に離れる方向（Ｄ）へ傾斜するように、１枚の板材の一部が切り起こされることにより、前記開口（６５）と前記傾斜部（６３）とが形成されている、
請求項１または２に記載の室内機（３１）。
【請求項４】
前記整流板（６１）は、前記傾斜部（６３）と前記本体部（６２）との間の側方の隙間を塞ぐ側壁（７２）をさらに有する、請求項１から３のいずれかに記載の室内機（３１）。
【発明の詳細な説明】
【技術分野】
【０００１】
本発明は、空気調和機の室内機に関するものである。
【背景技術】
【０００２】
従来、空気調和機の室内機として、ターボファンなどの遠心ファンと、そのターボファンを取り囲むように配置された熱交換器とを備えた天井設置型の室内機が知られている。熱交換器は、互いに離間して配置された複数枚のフィンを有している。このような室内機では、熱交換器の内側（すなわち、ターボファンを向く側）において、ターボファンから吹き出した気流が熱交換器のフィンの縁に対して当該フィンの並ぶ方向と平行またはそれに近い角度で当たることによって、当該気流がフィンの縁と干渉して、特殊な干渉騒音が発生するおそれがある。
【０００３】
従来では、このような干渉騒音の発生を防止することが可能な室内機として、特許文献１および２に記載されているように、当該ターボファンから吹き出した気流を熱交換器のフィンの間に向けて案内する整流板が、熱交換器の内側に設けられているものがある。このような室内機では、ターボファンからの吹出気流が整流板によって熱交換器のフィンに向けて案内されるので、吹出気流がフィンに干渉して騒音が発生するのを防止することが可能である。
【０００４】
これら特許文献１および２記載の整流板は、いずれも、熱交換器の内側において、ターボファンに向けて突出する突出部分を有する。
【０００５】
具体的には、特許文献１記載の整流板８３は、図１０に示されるように、熱交換器８２のフィン８２ａが並ぶ方向に延設された本体部分８３ａと、当該本体部分８３ａの一部を熱交換器８２の内側から突出する突出部８３ｂとを有する。整流板８３は、熱交換器８２ｄの内側８２ｄ（すなわち、ファン８０に対向する側）において、突出部８３ｂがファン８０に向けて突出するように配置されている。ファン８０から吹き出した気流Ｆ１が突出８３ｄによってフィン８２ａの隙間８２ｃへ案内されるので、熱交換器８２の内側において気流Ｆ１がフィン８２ａの縁８４に干渉して騒音が発生することを防止することが可能である。
【０００６】
また、特許文献２記載の整流板は、薄い樹脂製の導風板からなり、熱交換器の内側にそこから突出するように設けられている。さらに、この整流板の先端は、ターボファンが発生する気流の上流へ向けて曲げられ、これにより、気流をフィン側に徐々に曲げてフィンに当てることにより、乱流の発生を抑えている。
【先行技術文献】
【特許文献】
【０００７】
【特許文献１】特許２６６１４４６号公報
【特許文献２】特開２００１−９９４３６号公報
【発明の概要】
【発明が解決しようとする課題】
【０００８】
特許文献１および２に記載されている室内機では、熱交換器の内側に整流板が設けられているので、吹出気流がフィンに干渉する際に生じる騒音を低減することが可能である。しかし、整流板における気流の上流側（すなわち、気流が当たる側）で圧力が高い領域が発生するので、ファンの回転に起因する騒音（ＮＺ音）が新たに発生するおそれがある。
【０００９】
すなわち、図１０に示されるように、整流板８３の突出部８３ｂの上流側では、整流板８３の突出部８３ｂによってフィン８２ａの並ぶ方向への気流の進行が抑えられるため、圧力が高くなる領域８５が形成される。一方、ファン８０が回転しているときには、羽根８１の後縁８１ａ付近の空間において、圧力の高い後流領域８４が形成され、この領域８４が羽根８１に付随して移動する。したがって、羽根８１が整流板８３の突出部８３ｂの近くを通過するときには、２つの圧力が高い領域、すなわち、羽根８１の後流領域８４と整流板８３の突出部８３ｂの上流側の領域８５とが干渉する。このように圧力が高い領域８４、８５が干渉している瞬間には、ファン８０から吹き出した気流が流れにくくなるので、羽根８１の負荷が上昇して、羽根８１の表面に圧力変動が発生する。この圧力変動によって、ファン８０の回転数に起因する騒音（いわゆるＮＺ音）が発生する。
【００１０】
このようなＮＺ音の生じる可能性は、近年、省エネルギー化のために熱交換器の列数が増えることに伴い、熱交換器のフィンが遠心ファンの羽根に近づけて配置されることによって、ますます拡大する。
【００１１】
本発明は、上記のような事情に鑑みてなされたものであり、気流と熱交換器のフィンとの干渉による騒音を低減する整流板を備えた構成において、ファンの回転時に羽根と整流板との間で発生する騒音を低減することが可能な室内機を提供することを目的とする。
【課題を解決するための手段】
【００１２】
本発明の室内機（３１）は、空気調和機の室内機（３１）であって、多数の羽根（２１）を有する羽根車（２３）を備えた遠心ファン（５１）と、互いに離間して配置された複数枚のフィン（４３a）を有し、前記遠心ファン（５１）の外側に配置された熱交換器（４３）と、前記熱交換器（４３）における前記羽根車（２３）に対向する側に配置され、前記羽根車（２３）から吹き出される気流を前記フィン（４３a）の間に案内する整流板（６１）とを備えており、前記整流板（６１）は、前記フィン（４３a）から突出するように前記熱交換器（４３）に支持され、前記遠心ファン（５１）から吹き出される気流の一部が通る開口（６５）を有する本体部（６２）と、当該開口（６５）を通る気流を前記フィン（４３a）の間へ向けるように、前記フィン（４３a）に対して傾斜して配置された傾斜部（６３）とを有することを特徴とする。
【００１３】
かかる構成によれば、遠心ファン（５１）から吹き出される気流をフィン（４３a）の間に案内する整流板（６１）を備えた構成において、当該整流板（６１）の本体部（６２）は開口（６５）を有するので、整流板（６１）の上流側（すなわち、気流が当たる側）の気流の一部を開口（６５）を通して下流側に流すことができる。これにより、整流板（６１）の上流側の圧力を下げることが可能である。したがって、整流板（６１）の上流側における圧力が高い領域が縮小し、当該領域と遠心ファン（５１）の羽根（２１）の後流領域との干渉を低減させることができ、ファンの回転時に羽根（２１）と整流板（６１）との間で発生する騒音を低減することが可能である。
【００１４】
しかも、本体部（６２）分の開口（６５）を通る気流が、傾斜部（６３）によって熱交換器（４３）のフィン（４３a）の間へ向けて案内されるので、フィン（４３a）の間に円滑に向かうことが可能である。これにより、開口（６５）を通る気流と熱交換器（４３）の内側に位置するフィン（４３a）の縁との干渉による騒音の発生を抑えることが可能である。
【００１５】
また、前記本体部（６２）は、前記開口（６５）と前記フィン（４３a）との間に位置する壁部分（６６）を有するのが好ましい。
【００１６】
かかる構成によれば、整流板（６１）の本体部（６２）は、壁部分（６６）によって開口（６５）と熱交換器（４３）のフィン（４３a）との間を仕切ることによって開口（６５）におけるフィン（４３a）側が閉じられるので、整流板（６１）の強度を確保することが可能である。
【００１７】
また、前記フィン（４３a）に近づくにつれて前記本体部（６２）から前記羽根車（２３）の回転方向側に離れる方向（Ｄ）へ傾斜するように、１枚の板材の一部が切り起こされることにより、前記開口（６５）と前記傾斜部（６３）とが形成されているのが好ましい。
【００１８】
かかる構成によれば、上記の整流板（６１）を一体成形しつつ傾斜部（６３）を形成することが可能であり、製造コストや手間の低減が可能である。また、これによって、本体部（６２）と傾斜部（６３）とが一体成形されるので、整流板（６１）の剛性を確保することが可能である。
【００１９】
また、前記整流板（６１）は、前記傾斜部（６３）と前記本体部（６２）との間の側方の隙間を塞ぐ側壁（７２）をさらに有するのが好ましい。
【００２０】
かかる構成によれば、傾斜部（６３）の側方の隙間が側壁（７２）によって塞がれるので、側方への気流の洩れを防止することが可能である。
【発明の効果】
【００２１】
以上のように、本発明によれば、気流と熱交換器のフィンとの干渉による騒音を低減する整流板を備えた構成において、ファンの回転時に羽根と整流板との間で発生する騒音を低減することができる。
【図面の簡単な説明】
【００２２】
【図１】本発明の実施形態にかかる空気調和機の室内機の内部を示す縦断面図である。
【図２】図１の羽根車およびその周辺部を下方から見た図である。
【図３】図１の熱交換器および整流板の拡大斜視図である。
【図４】図１の整流板の斜視図である。
【図５】図１の整流板に気流が当たる状態を示す説明図である。
【図６】図１の整流板を側方から見た図である。
【図７】本発明の変形例である側壁を有する整流板の斜視図である。
【図８】熱交換器のフィンに当たる気流の角度と騒音値との関係を示すグラフである。
【図９】気流が熱交換器のフィンに当たる状態を示す説明図である。
【図１０】従来の整流板を備えた室内機において、遠心ファンの羽根の後流領域と整流板の上流側の圧力が高い領域とが干渉する状態を示す斜視図である。
【発明を実施するための形態】
【００２３】
以下、本発明の実施形態にかかる空気調和機の室内機について図面を参照しながら詳細に説明する。
【００２４】
図１に示される室内機３１は、天井埋込型のカセット室内機である。この室内機３１は、天井Ｃに設けられた開口に埋め込まれる略直方体の筐体３３と、筐体３３の下部に取り付けられた化粧パネル４７とを備えている。化粧パネル４７は、平面視の形状が筐体３３よりも一回り大きく、天井Ｃの開口を覆った状態で室内に露出している。化粧パネル４７は、その中央部に設けられた矩形状の吸込グリル３９と、この吸込グリル３９の各辺に沿って設けられた細長い矩形状の４つの吹出口３７とを有している。
【００２５】
室内機３１は、羽根車２３を備えた遠心ファン５１と、羽根車２３を回転駆動するファンモータ１１と、羽根車２３の外側を取り囲む熱交換器４３と、羽根車２３から吹き出される気流を熱交換器４３のフィン４３ａの隙間４３ｃ（図５参照）に案内する整流板６１と、ドレンパン４５と、エアフィルタ４１とを備えている。
【００２６】
遠心ファン５１は、ターボファンであり、羽根車２３とベルマウス２５とを含む。
【００２７】
図１〜２に示されるように、羽根車２３は、ハブ１５と、シュラウド１９と、多数の羽根２１とを含む。ハブ１５は、筐体３３の天板に固定されたファンモータ１１の回転軸１３に固定されている。
【００２８】
シュラウド１９は、ハブ１５に対して回転軸１３の軸方向Ａの前側Ｆに対向配置されている。シュラウド１９は、回転軸１３を中心として円形に開口する空気吸込口１９ａを有している。シュラウド１９の外径は、後側Ｒに向かうにつれて大きくなっている。
【００２９】
多数の羽根２１は、ハブ１５とシュラウド１９との間に空気吸込口１９ａの周方向に沿って所定の間隔をあけて配列されている。各羽根２１の前側Ｆの端部はシュラウド１９の内面に接合されている。各羽根２１の後側Ｒの端部はハブ１５に接合されている。各羽根２１は、ハブ１５の半径方向に対して回転方向の反対向き（後ろ向き）に傾斜した後ろ向き羽根である。
【００３０】
ベルマウス２５は、シュラウド１９に対して軸方向Ａの前側Ｆに対向配置されている。ベルマウス２５は、その外径が後側Ｒに向かうにつれて小さくなる湾曲形状を有している。
【００３１】
図１〜２に示すように、熱交換器４３は、厚みの小さな扁平な形状を有している。熱交換器４３は、その下端部に沿って延設された皿状のドレンパン４５から上方に起立した状態で羽根車２３の周囲を囲むように配置されている。
【００３２】
熱交換器４３は、具体的には、図３および図５に示されるように、互いに離間して配置された多数枚のフィン４３ａと、当該フィン４３ａを貫通する複数の配管４３ｂとを備えている。複数の配管４３ｂは、互いに平行になるように配置され、それぞれの端部同士はＵ字管などを介して互いに接続されている。フィン４３ａは、互いに隙間４３ｃをあけた状態で各配管４３ｂに対してロウ付けなどによって接合されている。熱交換器４３では、配管４３ｂ内部を通る冷媒とフィン４３ａの周囲の空気との間で熱交換される。
【００３３】
図２〜３に示されるように、整流板６１は、熱交換器４３における羽根車２３に対向する側（内側）の部位４３ｄに配置されている。具体的には、熱交換器４３は、略直方体の筐体３３の形状に合わせて羽根車２３の外側を四方から取り囲んだ状態で配置されている。整流板６１は、熱交換器４３において羽根車２３を取り囲む四方の面にそれぞれ１つずつ設けられており、熱交換器４３の内側の部位４３ｄのうち羽根車２３に最も近い位置より回転方向Ｂの下流側に配置されている。
【００３４】
整流板６１は、図３〜６に示されるように、フィン４３ａから羽根車２３側に突出するように配置されて熱交換器４３に支持されている。整流板６１は、開口６５を有する本体部６２と、本体部６２の開口６５の上端縁から延出する傾斜部６３と、本体部６２の下端から下方に突出して熱交換器４３の配管４３ｂに係合する係合部６４とを備えている。
【００３５】
本体部６２は、矩形平板状の部分であり、矩形形状の開口６５を有する。開口６５は、遠心ファン５１から吹き出される気流Ｆ１の一部の気流Ｆ２が通ることが可能な大きさを有する。
【００３６】
図６に示されるように、本体部６２の高さＨ、具体的には、熱交換器４３の内側の部位４３ｄを向く端面４３ｆ（すなわち、フィン４３ａの内側の縁４３ｅ（図５参照）を結ぶことにより形成された面）から当該本体部６２の先端６２ｂまでの高さＨは、気流Ｆ１とフィン４３ａとが干渉して騒音の発生を抑えることが可能な高さに設定される。
【００３７】
また、本体部６２は、開口６５とフィン４３ａとの間に位置する壁部分６６を有する。具体的には、図４に示される壁部分６６は、開口６５の幅と同じ横幅を有し、本体部６２における開口６５の両側に縦方向に延びる両側部分６７にそれぞれ連結している。
【００３８】
係合部６４は、図４に示されるように、本体部６２の壁部分６６の熱交換器４３側（図４における下側）から突出する部分である。係合部６４は、熱交換器４３の２本の配管４３ｂの間に挿入されたときに配管４３ｂに係合可能な凹部６４ａを有する。凹部６４ａは、係合部６４の両側縁から側方に開放するようにそれぞれ形成されている。係合部６４が熱交換器４３のフィン４３ａの隙間４３ｃに挿入され、当該係合部６４の各凹部６４ａに配管４３ｂが係合することにより、整流板６１の本体部６２は、フィン４３ａに平行で、かつ、熱交換器４３の内側の部位４３ｄの端面４３ｆ（図６参照）から所定の高さＨだけ突出できるように配置される。この状態では、本体部６２の壁部分６６は、熱交換器４３の内側の部位４３ｄの端面４３ｆよりも羽根車２３に近い側に位置し、一方、係合部６４は、端面４３ｆよりも羽根車２３から遠い側に位置する。
【００３９】
傾斜部６３は、本体部６２に対して傾斜しており、開口６５を有する当該開口６５を通る気流Ｆ２をフィン４３ａの隙間４３ｃへ向けるように、フィン４３ａに対して傾斜するように配置されている。具体的には、傾斜部６３は、図３および図５〜６に示されるように、本体部６２の気流Ｆ１が当たる側と反対側へ（矢印Ｄの方向へ）向かうにつれてフィン４３ａに近づく方向へ傾斜している。
【００４０】
図６に示される傾斜部６３の傾斜角θ（すなわち、傾斜部６３と開口６５を横断する開口面とのなす角度）および傾斜部６３の先端から本体部６２までの距離Ｘは、開口６５を通る気流Ｆ２が傾斜部６３によってフィン４３ａの隙間４３ｃへ向けることが可能な寸法になるように設定されている。
【００４１】
ここで、図９に示されるように、熱交換器４３の内側の部位４３ｄにおいて気流Ｖがフィン４３ａの縁に対して当たる角度（仰角）をα度とした場合、気流Ｖがフィン４３ａの縁に干渉することによって発生する騒音の大きさ（騒音値β）は、図８のグラフから明らかなように、気流Ｖの角度αが大きくなれば、すなわち、フィン４３ａの並ぶ方向とほぼ直角に近い角度になれば低減していくことが実験により解明されている。そこで、図６に示される傾斜部６３の傾斜角θ（前述の傾斜部６３と開口６５を横断する開口面とのなす角度）を設定する場合には、傾斜部６３によって案内される気流Ｆ２がフィン４３ａの並ぶ方向とほぼ直角に近い角度でフィン４３ａの隙間４３ｃに円滑に案内されるように、傾斜角θをなるべく小さくなるように設定されるのが好ましい。
【００４２】
本実施形態の整流板６１では、図５〜６に示されるように、フィン４３ａに近づくにつれて本体部６２から羽根車２３の回転方向Ｅ（図５参照）側に離れる方向（図６に示される矢印Ｄの方向）へ傾斜するように、１枚の板材の一部が切り起こされることにより、開口６５を有する本体部６２と傾斜部６３と係合部６４とが形成されている。
【００４３】
室内機３１のその他の構成は、従来の天井埋込型のカセット室内機の構成と同じである。具体的には、図１に示されるように、ドレンパン４５は、熱交換器４３において生じる水滴を収容する。収容された水は図略の排水経路を通じて排出される。エアフィルタ４１は、ベルマウス２５の入口を覆う大きさを有し、ベルマウス２５と吸込グリル３９との間に吸込グリル３９に沿って設けられている。エアフィルタ４１は、吸込グリル３９から筐体３３内に吸い込まれた空気に含まれる塵埃を捕捉する。
【００４４】
上記のように構成された室内機３１では、ファンモータ１１の駆動によって遠心ファン５１の羽根車２３が回転することにより、室内機３１の内部において、図１に示される気流Ｆ０を発生させることが可能である。すなわち、吸込グリル３９から吸い込まれた室内空気は、遠心ファン５１のベルマウス２５の内部を通って羽根車２３へ向かう。羽根車２３に到達した空気は、羽根車２３の半径方向外側へ吹き出し、羽根車２３の外側に配置された熱交換器４３を通過する際に冷媒と熱交換することにより、冷却または加熱される。その後、熱交換された空気は、吹出口３７を通して室内へ供給される。
【００４５】
上記のように室内機３１が動作している間、熱交換器４３の内側の部位４３ｄに設けられた整流板６１の本体部６２は、図３および図５に示されるように、羽根車２３からから吹き出した気流Ｆ１を熱交換器４３のフィン４３ａに向けて案内することによって、気流Ｆ１がフィン４３ａに干渉して騒音が発生するのを防止する。
【００４６】
それとともに、整流板６１の上流側（すなわち、気流Ｆ１が当たる側）の気流Ｆ１の一部の気流Ｆ２は、本体部６２の開口６５を通して下流側に流れることにより、当該本体部６２の上流側の圧力が低下する。これにより、整流板６１の上流側における圧力が高い領域７１（図５参照）が縮小し、当該領域７１と遠心ファン５１の羽根２１の後縁２１ａに発生する圧力が高い領域（後流領域）との干渉が低減する。さらに、本体部６２分の開口６５を通る気流Ｆ２は、傾斜部６３によって熱交換器４３のフィン４３ａの隙間４３ｃへ向けて案内されるので、フィン４３ａの隙間４３ｃに円滑に向かうことが可能である。
【００４７】
（特徴）
（１）
本実施形態の室内機３１では、遠心ファン５１から吹き出される気流Ｆ１をフィン４３ａの隙間４３ｃに案内する整流板６１を備えた構成において、当該整流板６１の本体部６２分は開口６５を有するので、整流板６１の上流側（すなわち、気流Ｆ１が当たる側）の気流Ｆ１の一部の気流Ｆ２を開口６５を通して下流側に流すことができる。これにより、整流板６１の上流側の圧力を下げることが可能である。したがって、整流板６１の上流側における圧力が高い領域７１が縮小する。その結果、当該領域７１と遠心ファン５１の羽根２１の後縁２１ａに発生する圧力が高い領域（後流領域）との干渉を低減させることができ、遠心ファン５１の回転時に羽根２１と整流板６１との間で発生する騒音を低減することが可能である。
【００４８】
しかも、本体部６２分の開口６５を通る気流Ｆ２が、傾斜部６３によって熱交換器４３のフィン４３ａの隙間４３ｃへ向けて案内されるので、フィン４３ａの隙間４３ｃに円滑に向かうことが可能である。これにより、開口６５を通る気流Ｆ２と熱交換器４３の内側に位置するフィン４３ａの縁４３ｅとの干渉による騒音の発生を抑えることが可能である。
【００４９】
（２）
また、本実施形態の室内機３１では、整流板６１の本体部６２は、壁部分６６によって開口６５と熱交換器４３のフィン４３ａとの間を仕切ることによって開口６５におけるフィン４３a側が閉じられ、それによって開口６５周囲が図４に示される本体部６２の壁部分６６、両側部分６７および先端側部分６８によって閉じられるので、整流板６１の強度を確保することが可能である。
【００５０】
（３）
本実施形態の室内機３１では、１枚の板材の一部が、フィン４３ａに近づくにつれて本体部６２から羽根車２３の回転方向Ｅ（図５参照）側に離れる方向（図６に示される矢印Ｄの方向）へ傾斜するように切り起こされることにより、上記の整流板６１を一体成形しつつ傾斜部６３を形成することが可能であり、製造コストや手間の低減が可能である。また、これによって、本体部６２と傾斜部６３とが一体成形されるので、整流板６１の剛性を確保することが可能である。
【００５１】
（変形例）
（Ａ）
なお、上記実施形態では、熱交換器４３の内側の部位４３ｄの四方の面にそれぞれ１枚の整流板６１が設けられているが、本発明はこれに限定されるものではなく、四方の面にそれぞれ複数枚の整流板６１を熱交換器４３のフィン４３ａの並ぶ方向へ並べて配置してもよい。これにより、気流Ｆ１とフィン４３ａの縁４３ｅとの干渉による騒音をさらに低減することが可能である。
【００５２】
（Ｂ）
上記実施形態では、図４に示されるように傾斜部６３と本体部６２との間には側方に開口する隙間が形成されているが、本発明はこれに限定されるものではない。本発明の変形例として、図７に示されるように、整流板６１は、傾斜部６３と本体部６２との間の側方の隙間を塞ぐ側壁７２をさらに有するようにしてもよい。この構成では、傾斜部６３の側方の隙間が側壁７２によって塞がれるので、開口６５を通過した気流Ｆ２が側方へ洩れることを防止することが可能である。
【００５３】
（Ｃ）
また、上記実施形態では、整流板６１の本体部６２がフィン４３ａの隙間４３ｃから当該フィン４３ａと平行になるように突出しているが、本発明はこれに限定されるものではない。例えば、図４〜６に示される本体部６２における開口部６５よりも先端側に位置する先端側部分６８を気流Ｆ１が当たる側へ（すなわち、図６の矢印Ｄ方向とは反対方向へ）曲げてもよい。その場合、その先端側部分６８が気流Ｆ１と干渉して騒音が発生することを抑えることが可能である。
【００５４】
（Ｄ）
また、上記実施形態では、整流板６１の本体部６２は、壁部分６６によって開口６５と熱交換器４３のフィン４３ａとの間が仕切られているが、本発明はこれに限定されるものではなく、壁部分６６を省略してもよい。その場合、開口６５を広く形成することが可能である。なお、開口６５を広く形成する場合には、開口６５を通る気流をフィン４３ａと干渉して干渉騒音を発生しないように、当該気流をフィン４３ａ間の隙間４３ｃに案内する傾斜部６３を当該開口６５の面積に対応して広くするのが好ましい。
【００５５】
（Ｅ）
上記実施形態では、一枚の板材の一部を切り起こすことにより、開口６５および傾斜部６３を形成しているが、本発明はこれに限定されるものではなく、種々の方法で製造することが可能である。本発明の変形例として、樹脂を成形型に注入することによって開口６５を有する本体部６２および傾斜部６３を一体成形してもよい。その場合、傾斜部６３は、開口６５の面積よりも大きい面積を有するように形成することが可能になり、その結果、開口６５を通る気流をフィン４３ａの隙間４３ｃにより確実に案内することが可能である。
【符号の説明】
【００５６】
２１  羽根
２３  羽根車
３１  室内機
４３  熱交換器
４３ａ  フィン
５１  遠心ファン
６１  整流板
６２  本体部
６３  傾斜部
６５  開口 
【図１】
2014126260.tif 000003
【図２】
2014126260.tif 000004
【図３】
2014126260.tif 000005
【図４】
2014126260.tif 000006
【図５】
2014126260.tif 000007
【図６】
2014126260.tif 000008
【図７】
2014126260.tif 000009
【図８】
2014126260.tif 000010
【図９】
2014126260.tif 000011
【図１０】
2014126260.tif 000012